【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
包装箱において、
折り曲げられて直方体になる単一のブランクを含み、
前記直方体が、
底部と、
前記底部の反対側にあり該底部に対してほぼ平行な上部と、
前記上部と前記底部との間に配置され該上部および底部に対して垂直な４つの壁であって、第１の壁、第２の壁、第３の壁、および第４の壁を含み、前記第１の壁が前記第３の壁の反対側にあり、前記第２の壁が前記第４の壁の反対側にある、４つの壁と
を画成し、
前記第２の壁が、前記直方体の内部への第１の開口部を画成し、前記第４の壁が、前記直方体の前記内部への第２の開口部を画成し、前記第１の開口部および前記第２の開口部が、前記直方体の底部平面に対して平行な方向に前記直方体の前記第１の壁から前記第３の壁まで延び、且つ、前記直方体の前記底部平面に対して垂直な方向に前記上部から前記第２の壁および前記第４の壁の上縁部までそれぞれ延びており、前記第２の壁および前記第４の壁の前記上縁部が、前記直方体の前記底部から前記上部までの距離の５０パーセント以上の高さに配置される
ことを特徴とする包装箱。
【請求項２】
前記上部が、第１の上部フラップと、該第１の上部フラップの少なくとも一部を覆うように配置された第２の上部フラップとを含み、前記第１の上部フラップが前記直方体の第３の壁と一体であり、前記第２の上部フラップが前記直方体の第１の壁と一体であり、
前記第２の上部フラップが中間パネルを含み、該中間パネルが前記第１の上部フラップに対して平行であり、前記第３の壁との折り目および前記第２の上部フラップの遠位パネルとのフラップ中間折り目によって画成されており、前記第２の上部フラップの前記遠位パネルが、前記第３の壁の少なくとも一部を覆うように配置され、該第３の壁に対して平行であり、該第３の壁に固定される、
請求項１記載の包装箱。
【請求項３】
前記第２の上部フラップの前記遠位パネルがタブを画成し、前記直方体の前記第３の壁がスロットを画成し、前記タブが前記スロットに挿入されることによって前記遠位パネルが前記第３の壁に固定される、請求項２記載の包装箱。
【請求項４】
前記タブが、前記第２の上部フラップの前記遠位パネルと前記中間パネルとの間にある折り目に向かって後に向かう第１の肩縁部および第２の肩縁部を画成し、
前記スロットに隣接した前記直方体の前記第３の壁に前記第１の肩縁部および第２の肩縁部が接触することで前記タブが前記スロットから引き抜かれるのに抵抗するために、前記第１の肩縁部および第２の肩縁部が前記スロットよりも広く延びている、
請求項３記載の包装箱。
【請求項５】
前記第１の上部フラップが浮いている、請求項２〜４のいずれか一項に記載の包装箱。
【請求項６】
前記第１の上部フラップが、前記第３の壁との折り目によって前記第３の壁に近接し、第１の縁部によって前記第２の壁に近接し、第２の縁部によって前記第１の壁に近接し、第３の縁部によって前記第４の壁に近接して画成され、前記第２の縁部が、前記第１の壁と前記第２の上部フラップとの間の前記折り目に当接する、請求項５記載の包装箱。
【請求項７】
前記第１の上部フラップの前記第１の縁部および前記第３の縁部、並びにそれらに対応する前記中間パネルの縁部が、前記直方体の前記第２の壁および前記第４の壁によって画成されるそれぞれの平面から２ｃｍ以内まで延びている、請求項６記載の包装箱。
【請求項８】
前記単一のブランクが板紙で構成されている、請求項２〜７のいずれか一項に記載の包装箱。
【請求項９】
前記４つの壁の各々の外面、および前記第１の上部フラップの外に向いた面が、前記単一のブランクの片面から生じている、請求項２〜８のいずれか一項に記載の包装箱。
【請求項１０】
前記タブと前記遠位パネルの残りの部分との間に画成された切り取り線を含み、該切り取り線が破れて前記タブが前記遠位パネルの前記残りの部分から分離されることにより、前記第２の上部フラップが前記第３の壁から外れるよう構成された、請求項２〜９のいずれか一項に記載の包装箱。
【請求項１１】
前記遠位パネルの前記残りの部分が、解放可能なフラップを画成する第２の切り取り線を画成し、
前記第３の壁が、前記第１の上部フラップに対して平行な第２のスロットを画成し、
前記第２の切り取り線が破れることにより前記解放可能なフラップが前記遠位パネルから解放され、前記第２の上部フラップを前記第３の壁に固定することによって前記包装箱を再び閉じるために、前記解放可能なフラップが前記第２のスロットに挿入されるよう構成された、
請求項１０記載の包装箱。
【請求項１２】
前記中間パネルが第３の切り取り線を含み、該第３の切り取り線が、前記フラップ中間折り目から延び、前記中間パネルを横切って延び、前記フラップ中間折り目に戻ることにより、前記中間パネルの一部から第２の解放可能なフラップを形成し、
前記第３の切り取り線が破られた後、前記第２の解放可能なフラップが、前記フラップ中間折り目に沿って折り曲げられることによって前記中間パネルの残りの部分から離れる方向に折り曲げ可能であり、
前記第２の解放可能なフラップが、前記包装箱をフックに吊るすためのアパチャーが画成される、
請求項２〜１１のいずれか一項に記載の包装箱。
【請求項１３】
前記包装箱内に配置された複数のパッケージであって、各パッケージが前記第１の壁および前記第３の壁に対して平行に配向された平面状の形状を有し、各パッケージが実質的に前記底部から前記上部まで延び、且つ、前記第２の壁から前記第４の壁まで延びる、複数のパッケージを含む、請求項１〜１２のいずれか一項に記載の包装箱。
【請求項１４】
包装箱において、
折り曲げられて直方体になる単一のブランクを含み、
前記直方体が、
底部と、
前記底部の反対側にあり該底部に対して平行な上部と、
前記上部と前記底部との間に配置され該上部および底部に対して垂直な４つの壁であって、該４つの壁の各々がそれぞれの壁パネルで形成され、該壁パネルが第１の壁パネル、第２の壁パネル、第３の壁パネル、および第４の壁パネルを含み、前記第１の壁パネルが前記第３の壁パネルの反対側にあり、前記第２の壁パネルが前記第４の壁パネルの反対側にある、４つの壁と
を画成し、
前記第２の壁および前記第４の壁の前記上縁部が、前記直方体の前記底部から前記上部までの距離の５０パーセント以上の高さに配置され、
それぞれの前記壁の折り目が、前記第１の壁パネルと前記第２の壁パネルとの間、前記第２の壁パネルと前記第３の壁パネルとの間、および前記第１の壁パネルと前記第４の壁パネルとの間の境界を構成し、第４の壁の折り目が、前記第３の壁パネルと管形成フラップとの間の境界を構成し、前記管形成フラップが前記第４の壁パネルに固定され、
前記底部が、それぞれの前記壁パネルから延びる複数の底部フラップで構成され、前記底部フラップのうちの少なくとも２つが合わせて固定され、
前記上部が、前記第３の壁パネルから延びる第１の上部フラップと、前記第１の壁パネルから延びる第２の上部フラップとで構成され、前記第１の上部フラップが浮いており、前記第２の上部フラップが前記第１の上部フラップの少なくとも一部を覆うように配置され、前記第２の上部フラップが中間パネルおよび遠位パネルを含み、前記中間パネルおよび前記遠位パネルがそれらの間にフラップ中間折り目を有し、前記中間パネルが前記第１の上部フラップの少なくとも一部を覆うように配置され、前記遠位パネルが前記第３の壁パネルの一部を覆うように配置されて該第３の壁パネルに固定された
ことを特徴とする包装箱。
【請求項１５】
前記第１の上部フラップが、前記第３の壁との折り目によって前記第３の壁に近接し、第１の縁部によって前記第２の壁に近接し、第２の縁部によって前記第１の壁パネルに近接し、第３の縁部によって前記第４の壁パネルに近接して画成され、前記第２の縁部が、前記第１の壁パネルと前記第２の上部フラップとの間の前記折り目に当接する、請求項１４記載の包装箱。
【請求項１６】
包装箱を組み立てる方法において、
４つの垂直な第１の壁、第２の壁、第３の壁、第４の壁と底部とを有する直方体の管を形成する工程と、
前記直方体の管の中に品物を配置する工程と、
第１の上部フラップを、該第１の上部フラップが延びている根元である前記管の前記第３の壁に対して垂直になるよう、内側に向かって折り曲げる工程と、
第２の上部フラップを、該第２の上部フラップが前記第１の上部フラップに対して平行になり、且つ、前記第１の上部フラップの少なくとも一部を覆うように配置されるよう、内側に向かって折り曲げる工程と、
前記第１の上部フラップを越えて伸びる前記第２の上部フラップの遠位端部を、該遠位端部が前記管の前記第３の壁に対して平行になるように、折り曲げる工程と、
前記第２の上部フラップの前記遠位端部を前記管の前記第３の壁に固定する工程と
を含み、
前記形成された包装箱が、前記垂直な壁のうちの１以上の壁に開口部を含み、該開口部が、前記第２の上部フラップが延びている根元である前記第１の壁から前記第３の壁まで前記直方体の底部平面に対して平行な方向に延び、かつ前記開口部を画成する前記垂直な壁の上縁部によって画成され、前記壁の前記上縁部が、前記直方体の前記底部から前記上部までの距離の５０パーセント以上の高さに配置される
ことを特徴とする方法。
【請求項１７】
固定する前記工程が、前記第２の上部フラップの前記遠位端部に画成されたタブを、前記管の前記第３の壁にあるスロットに挿入することを含む、請求項１６記載の方法。
【請求項１８】
前記タブが、前記第２の上部フラップの前記遠位端部と中間パネルとの間の前記折り目に向かって後に向かう第１の肩縁部および第２の肩縁部を画成し、
前記第１の肩縁部および第２の肩縁部が前記管の前記第１の壁に接触することで前記タブが前記スロットから引き抜かれるのに抵抗するために、前記第１の肩縁部および第２の肩縁部が前記スロットよりも広く延びている、
請求項１７記載の方法。
【請求項１９】
直方体の管を形成する前記工程が、前記直方体の管を形成するために、平坦に畳まれたスリーブを広げることを含み、
前記平坦に畳まれたスリーブが複数の底部フラップを含み、該底部フラップが、内側に向かって折り曲げられ、該底部フラップが延びている根元の壁パネルに対して平行に配置され、
前記複数の底部フラップのうちの少なくとも２つが、前記平坦に畳まれたスリーブが広げられて管になった際に、互いに機械的に結合されるそれぞれの特徴部を画成する、
請求項１６〜１８のいずれか一項に記載の方法。